(57)【要約】【課題】            ハンドオーバーをしてもマルチキャスト配信が中断されない移動体通信システムを得る。【解決手段】        移動体を統括管理するルータ装置または移動体ネットワーク内のゲートウェイ装置にシステム内の無線リンクを管理するエッジルータにマルチリンクルータ機能を実装し、システム内にてサービス提供するマルチキャストサービスを各エッジルータまですべて専用トンネリングで配信し、無線レイヤへの配信は無線レイヤに規定されているマルチキャストのサービスフローにて提供する。【選択図】          図１
2007228450.tif 000002
【特許請求の範囲】
【請求項１】
移動端末のＩＰアドレスを管理する移動管理装置、前記移動端末を収容する複数の無線基地局、前記無線基地局を制御する複数の無線基地局制御装置、前記移動管理装置と前記無線基地局と前記無線基地局制御装置とを接続するＩＰネットワークから構成される移動体通信システムにおいて、前記移動体通信システムのＩＰネットワークと外部ＩＰネットワークを接続する関門装置を備え、前記無線基地局制御装置にＩＰマルチキャストルーチング機能を持ち、前記関門装置と前記無線基地局制御装置間を専用トンネルにてマルチキャストパケットを送信することを特徴とする移動体通信システム。
【請求項２】
請求項１に記載の移動体通信システムにおいて、
無線基地局制御装置は無線基地局に属する移動端末のマルチキャストグループへの登録状況を管理し、前記無線基地局にマルチキャストグループに属する移動端末が存在しない場合は、前記無線基地局制御装置から前記無線基地局へのマルチキャストパケットの配信を停止することを特徴とする移動体通信システム。
【請求項３】
請求項１に記載の移動体通信システムにおいて、
無線基地局は、マルチキャストグループを識別する識別子がシステム内で同じ値に設定されたマルチキャストパケットを送信し、他の無線基地局と同一の識別子で移動端末がマルチキャストパケットを受信する特徴とする移動体通信システム。
【発明の詳細な説明】
【技術分野】
【０００１】
この発明は、ＩＰパケットデータ通信を実現する移動体通信システムにおけるＩＰマルチキャスト通信方法に関するものである。
【背景技術】
【０００２】
従来の移動体通信システムは第三世代移動体通信システムとして３ＧＰＰ(3rd generation Partnership Project)及び、３ＧＰＰ２(3rd Generation Partnership Project2)が構成され標準化が進められている。この移動体通信システムではＩＰベースのサービスが提供されている。また、新しい移動体通信システムとしてＩＥＥＥ８０２．１６ｅにて規定されている無線リンクを適用したモバイルＷｉＭＡＸ(Worldwide Interoperability for Microwave Access)に関する標準化が進められている。モバイルＷｉＭＡＸはＩＰベースのコアネットワークを前提としており、インターネットとの整合性も高いという特徴がある。
【０００３】
一方、ＩＰマルチキャスト配信方法としてはマルチキャストサーバから複数のマルチキャストルータをツリー構造で接続して配信する方式としてはＩＥＴＦ（Internet Engineering Task Force）にてＩＧＭＰ(Internet Group Management Protocol）Ｖｅｒｓｉｏｎ２が規定されている。ＩＧＭＰでは１つのマルチキャストルータ配下には同じグループに属する複数のホストが存在することを想定しており、全ホストが登録・削除を実行する必要がないようにしている。各マルチキャストルータは各インタフェースにマルチキャストメンバーを管理しており、登録メンバーがなくなれば以降は該当インタフェースにはマルチキャストパケットの転送を実施しない。以上のようにマルチキャストルータ毎にメンバーを管理することで効率的なデータ配信を実現する。
【０００４】
また、移動体通信システムにおいてパケットルーティングを管理するエッジルータ部にマルチキャストルータ機能を持たせエッジルータ部以降のマルチキャストメンバーを管理し、エッジルータ間を跨ぐ移動に伴うマルチキャストデータの配信を移動することによってＩＧＭＰを移動体通信システムに適用する方法が知られている（例えば特許文献１）。
【０００５】
【特許文献１】特許第３７２１９０６号公報
【発明の開示】
【発明が解決しようとする課題】
【０００６】
従来技術ではエッジルータ間をハンドオーバーする場合、位置登録が完了しマルチキャストグループに関する情報がエッジルータ間を転送され且つ上位のマルチキャストルータに登録されるまでの間マルチキャストデータを受信することが出来ず、移動に伴うサービスの切断が発生する問題があった。
【課題を解決するための手段】
【０００７】
本発明に係る移動体通信システムは、移動体を統括管理するルータ装置または移動体ネットワーク内のゲートウェイ装置（関門装置）にシステム内の無線リンクを管理するエッジルータにマルチリンクルータ機能を実装し、システム内にてサービス提供するマルチキャストサービスを各エッジルータまですべて専用トンネリングで配信し、無線レイヤへの配信は無線レイヤに規定されているマルチキャストのサービスフローにて提供する。
【０００８】
端末の移動に伴うマルチキャストサービスの移動は、同一サブネット内の基地局間の場合には、無線リンクの切替え＋端末からのマルチリンクサービス再登録、エッジルータ間の移動は無線リンクの切替え＋端末からのマルチリンクサービスの登録＋位置登録で実現する。
【０００９】
移動は端末が検出し、新しく接続したエッジルータにマルチキャスト配信を登録するのでモバイルＩＰｖ６やモバイルＩＰｖ４(共存気付けアドレス)など、ＦＡが配備されていないネットワーク構成でもマルチキャストデータの移動性を確保出来る。
同じマルチキャストグループはシステム内ですべて同一の識別子で管理することにより、マルチキャストサービスの移動を高速に行うことを可能としている。
【００１０】
移動体を統括管理するルータ装置と無線リンクを管理するエッジルータ装置間の専用トンネルはマルチキャストサービス毎に設置し、専用のシーケンス番号を付与し、複数基地局をＧＰＳなどを用いて時刻同期しておいた上で、複数基地局をまたがった場合でもシーケンス番号の前後関係に基づいてデータを配信するように構成するので、各基地局間でパケットを同期してマルチキャストデータを配信することを可能にしている。
【００１１】
登録利用者が無線基地局に１台も接続している端末が存在しない場合には、無線基地局にマルチキャストデータを送信せず、無線区間への配信を停止するように構成している。
【発明の効果】
【００１２】
以上のようにシステムの構成要素にマルチキャストルータ機能を設置し、無線制御部にマルチキャストパケットのパスをすべて張り、常時マルチキャストパケットを無線部直前まで配信するように構成し、基地局間で同期してマルチキャストパケットを送信出来るように構成したので、端末の移動に伴うマルチキャストサービスの移動が実現できる。
【発明を実施するための最良の形態】
【００１３】
以下、この発明の実施の形態について、図を参照しながら説明する。
【００１４】
実施の形態．
図１はこの発明の実施の形態の移動体通信システムの全体の構成を示すシステム構成図である。図に示すように、この移動体通信システムは、ホームエージェント１、ゲートウェイ２、複数の無線基地局制御装置３（３ａ〜３ｃ）、複数の無線基地局４（４ａ〜４ｈ）、複数の移動端末６（６ａ，６ｂ）、マルチキャストサーバ１０（１０ａ，１０ｂ）といった機器を備えている。それらの機器のうち、ホームエージェント１、ゲートウェイ２、複数の無線基地局制御装置３（３ａ〜３ｃ）、複数の無線基地局４（４ａ〜４ｈ）といった機器が接続されるネットワークをＩＰコアネットワーク８と呼ぶこととする。またマルチキャストサーバ１０は１０ａ、１０ｂともにインターネット１２に接続されている。
【００１５】
移動端末６は、無線基地局４（４ａ〜４ｈ）のいずれかに収容される。移動端末６がいずれかの無線基地局に収容されると、その無線基地局において有効なＩＰアドレスが付与される。このようなＩＰアドレスはモバイルＩＰアドレス、あるいは単にモバイルＩＰと呼ばれる。モバイルＩＰは無線基地局ごとに付与されるので、移動端末６が利用者の移動とともに移動し、それまで収容されていた無線基地局とは異なる無線基地局に収容されることとなると、新たな無線基地局で有効となるモバイルＩＰが付与される。このようなモバイルＩＰを気付アドレス（Care-of Address）と呼ぶ。この気付アドレスは移動端末６の現在位置を表すことにもなる。
【００１６】
（ホームエージェントの構成の説明）
ホームエージェント１は、ＩＰコアネットワーク８内の無線基地局制御装置３配下の無線基地局４によって収容される移動端末６の移動をモバイルＩＰレベルで管理する移動管理装置である。ここで、ホームエージェント１は移動端末６のモバイルＩＰレベルでの管理を行う機能に加えて、マルチキャストルータの機能を有している点に特徴がある。
【００１７】
図２はホームエージェント１の構成を示すブロック図である。図において、ネットワーク入力部１００はＩＰコアネットワーク８を介して送信されてくるＩＰパケットを受信する部位である。マルチキャストデータ識別部１０１はネットワーク入力部１００によって受信されたＩＰパケットを、マルチキャストデータを構成するＩＰパケットとそうでないＩＰパケットとに分類する部位である。
【００１８】
ホームエージェント機能部１０２は、マルチキャストデータ識別部１０１においてマルチキャストデータでない、と分類されたデータを処理する部位である。ここでは、従来のホームエージェントの機能、この移動体通信システム内に収容されているすべての端末のモバイルＩＰを管理する機能を実現している。なお、この機能は公知の技術であるため詳細な説明については省略する。
【００１９】
マルチキャストルータ機能部１０４は、マルチキャストデータ識別部１０１においてマルチキャストデータであると分類されたデータについて、マルチキャストルータ機能を実現する部位である。この部位は、インターネット上にあるマルチキャストサーバに接続されているマルチキャストルータに対してマルチキャストの購読を登録する(Membership Report)。マルチキャストサービスの登録は、本システムが利用者にサービス提供するマルチキャストサービスすべてに対して行う。このことにより、ホームエージェント１にサービス提供するマルチキャストパケットがすべて流れ込むことになる。
【００２０】
またＧＲＥトンネリング機能部１０５は、無線基地局制御装置３との間にＧＲＥ(Generic Routing Encapsulation)トンネルを張るとともに、ＩＰパケットの一部にＧＲＥヘッダを付与して、ＧＲＥトンネル化を行う。
【００２１】
ホームエージェント機能部１０２とＧＲＥトンネリング機能部１０５の出力結果はネットワーク出力部１０３によって再びＩＰコアネットワーク８に送信されるようになっている。
【００２２】
その他、ゲートウェイ２は、インターネット１２とＩＰコアネットワーク８とを接続する機器である。接続にあたっては双方のアドレスやパケットのフォーマットを適宜変換する機器である。
【００２３】
続いて、無線基地局制御装置３の構成について説明する。図３は無線基地局制御装置３の構成を示すブロック図である。図において、ネットワーク入力部３００はＩＰコアネットワーク８を介して送信されてくるＩＰパケットを受信する部位である。ＧＲＥトンネリング機能部３０１はＧＲＥトンネル化が施されているＩＰパケットについてはＧＲＥヘッダを除去し、そうでないＩＰパケットについては何もせずにそのまま出力する部位である。
【００２４】
マルチキャストデータ識別部３０２はＧＲＥトンネリング機能部３０１が出力するデータが、マルチキャストデータを構成するデータか否かを識別する部位である。この結果、マルチキャストデータではないと判断されたデータについては無線制御機能部３０３に出力され、通常のユニキャストパケットあるいはブロードキャストパケットとして扱われる。またマルチキャストデータと判断された場合には、マルチキャストルータ機能部３０４に出力される。
【００２５】
無線制御機能部３０３は配下の無線基地局を管理する従来の無線基地局制御装置の機能を実現する部位である。一方、マルチキャストルータ機能部３０４は、無線基地局制御装置３が管理する無線基地局４に接続される移動端末６のマルチキャストサービスを管理しており、該当無線基地局４にマルチキャストサービスに登録している移動端末６が存在する場合には、マルチキャストパケットを無線基地局４に送信し、登録している移動端末６が１台も存在しない場合には無線基地局４にはマルチキャストパケットを送信しない、といった制御を行う。無線制御機能部３０３やマルチキャストルータ機能部３０４がＩＰコアネットワーク８にデータを送出する場合、ネットワーク出力部３０５にデータを出力することでＩＰパケットが送出される。
【００２６】
無線基地局４は、無線基地局制御装置３から受信したマルチキャストパケットをＩＥＥＥ８０２．１６のマルチキャストブロードキャストサービスの手順に沿って無線区間に送信する。このパケットはマルチキャストパケットとして送信されるため、送信対象となる複数の移動端末が同時にパケットを受信することが可能となる。
【００２７】
図４は、無線基地局４の構成を示すブロック図である。無線基地局４は無線基地局制御装置３からのデータをネットワーク入出力部４０１から受信すると、無線基地局制御部４０２で無線送信用のフォーマットに変換する。ＦＩＦＯバッファ４０３は、無線基地局制御部４０２によって無線送信用フォーマットに変換したマルチキャストデータをＦＩＦＯ(First-In First-Out)で蓄える。一方で、時刻同期手段４０４（ＩＥＥＥ８０２．１６の場合はＧＰＳ信号を用いる）により他の無線基地局と時刻同期を行うようになっており、時刻同期手段４０４によって同期された時刻と無線基地局制御装置３から指定された所定のタイミングに基づいてＦＩＦＯバッファ４０３に記憶されているマルチキャストデータを古い順にＩＥＥＥ８０２．１６パケットとしてＩＥＥＥ８０２．１６ｅ無線送受信部４０５から送出する。ＩＥＥＥ８０２．１６ｅ無線送受信部４０５はアンテナ４０６からＩＥＥＥ８０２．１６パケットを移動端末６に向けて送信する。
【００２８】
また無線基地局４は、移動端末６からデータが受信されてきた場合は、アンテナ４０６からＩＥＥＥ８０２．１６ｅ無線送受信部４０５を経て無線基地局制御部４０２で無線基地局制御装置３用のデータフォーマットに変換し、ネットワーク入出力部４０１からＩＰコアネットワーク８に送出する。
【００２９】
この他、無線基地局４は、例えば定期的に接続されている移動端末に対してマルチキャストサービス情報を報知することで、移動端末６に対してマルチキャストサービスへの参加を促す。
【００３０】
また移動端末６はモバイルＩＰ気付アドレスとともにマルチキャスト気付アドレスを設定可能となっており、モバイルＩＰ及びマルチキャスト気付アドレスそれぞれに対して独立したコネクションを維持し、送受信を行うようになっている。図５は移動端末６の構成を示すブロック図である。図において、送受信アンテナ６０１は無線基地局４との間で無線信号を送受信する。ＩＥＥＥ８０２．１６ｅ送受信部６０２は送受信アンテナ６０１を用いてＩＥＥＥ８０２．１６ｅパケットを送受信する部位である。モバイルＩＰスタック６０３はＷｉＭＡＸ制御を実行する部位である。移動端末制御部６０４はモバイルＩＰスタック６０３の上位レイヤに位置する機能であって、移動端末６を利用する利用者にＩＥＥＥ８０２．１６に基づく情報を提供したり、利用者の要求に基づいてモバイルＩＰスタック以下のレイヤの機能を制御する。
【００３１】
（移動端末初期化手順）
次にシステムの動作について説明する。まず、移動端末６の初期化手順について説明する。図６は、この発明の実施の形態による移動体通信システムの初期接続時の説明図である。図は上から下に向かって発生する事象の時間が前から後になるように示しており、またステップではどの機器からどの機器に如何なる情報が送受信されるかが分かるように示している。
【００３２】
まず移動端末６においてモバイルＷｉＭＡＸのシステムが起動し、移動端末６が無線基地局４に接続し、ホームエージェント１に対して位置登録を実施する(ステップ１１０)。
【００３３】
ホームエージェント１のホームエージェント機能部１０２は、ＷｉＭＡＸシステムが移動端末６にサービスを提供しようとしているすべてのマルチキャストグループについて、インターネット１２にあるマルチキャストサーバ１０にマルチキャストの購読を求めるためにメンバーシップの登録（メンバーシップレポート：Membership Report）を行い、マルチキャストパケットを受信可能な状態にする（ステップ１１１）。なお、このステップ１１１はステップ１１０より前に実行しても構わない。
【００３４】
続いて、ホームエージェント１のＧＲＥトンネリング機能部１０５はホームエージェント１配下にある各無線基地局制御装置３に対してマルチキャストグループ単位でＧＲＥトンネルを確立する（ステップ１１３ａ、１１３ｂ）。図では、例として無線基地局制御装置３ａと３ｂに対してＧＲＥトンネルを確立することとしており、その結果として無線基地局制御装置３ａにはＧＲＥトンネルを識別する識別子としてＩＤ−０が送信される（ステップ１１４ａ）。また無線基地局制御装置３ｂにはＧＲＥトンネルを識別する識別子としてＩＤ−１が送信される（ステップ１１４ｂ）。
【００３５】
すべてのＧＲＥトンネルを各無線基地局制御装置と確立後、ホームエージェント１のマルチキャストルータ機能部１０４は、図７に示すようなデータ項目を有するマルチキャストグループ管理テーブルを生成する。このマルチキャスト情報には、マルチキャストアドレスに次の情報を関連づけて管理される。
（１）マルチキャストグループＩＤ（識別子）…ＧＲＥトンネルを識別する為に対応付けられている。
（２）マルチキャストグループアドレス…マルチキャストパケットのＩＰアドレスである。
（３）マルチキャスト接続ＩＤ（識別子）…ＩＥＥＥ８０２．１６の無線区間で無線リンクを識別する識別子で、マルチキャストサービスフロー用のコネクション識別子である（ＩＥＥＥ８０２．１６区間ではマルチキャスト配信される）。
（４）マルチキャスト気付アドレス…各マルチキャストリンクに付けられたユニキャストアドレスで、移動端末６内のモバイルＩＰスタックが通常のモバイルＩＰの気付アドレスとは別に管理して、受信可能とするためのアドレスである。
【００３６】
以降、この管理テーブルで全マルチキャストグループを管理する。
【００３７】
続いて、ホームエージェント１からＧＲＥトンネル１０４を確立された無線基地局制御装置３のマルチキャストルータ機能部３０４は、ホームエージェント１からマルチキャスト管理情報を入手する。（ステップ１１５）
【００３８】
無線基地局制御装置３のマルチキャストルータ機能部３０４は、配下の無線基地局４にマルチキャスト情報としてマルチキャスト接続ＩＤを送信する（ステップ１０７）。無線基地局４は、ここで受信したマルチキャスト接続ＩＤを用いて、無線基地局制御装置３から受信したマルチキャストパケットを無線区間に送信することになる。
【００３９】
図８は無線基地局制御装置３によって記憶されている管理テーブルの構成を示す図である。無線基地局制御装置３では配下にある無線基地局４毎にマルチキャストフローを管理している。無線基地局制御装置３は移動端末６からメンバーシップ登録の要求があるとマルチキャストフローのメンバーフラグフィールドをＯＮにし、以降メンバーフラグフィールドがＯＮになっているマルチキャストのフローを該当無線基地局４にＤａｔａ  Ｐａｔｈ  Ｆｕｎｃ  Ｔｙｐｅ２フォーマットで送信する。
【００４０】
移動端末６はマルチキャスト情報を無線基地局４を介して無線基地局制御装置３から受信すると管理テーブルを作成する。図９はこのようにして生成される移動端末６の管理テーブルの構成を示す図である。この管理テーブルにはマルチキャストフロー毎に購読フラグフィールドが設けられている。そして利用者が購読要求を行うと、購読要求のあったマルチキャストフローの購読フラグがＯＮとなる。この場合、移動端末６はマルチキャスト接続ＩＤをＩＥＥＥ８０２．１６ｅ送受信部６０２に設定し、マルチキャスト気付アドレスをモバイルＩＰスタック６０３に設定する。
【００４１】
以上のように、ＷｉＭＡＸシステム起動時に提供されるマルチキャストフロー毎の設定は完了し、無線基地局制御装置３までマルチキャストパケットが配信される環境が構築される。
【００４２】
（マルチキャストグループへの参加の手順）
続いて、次に移動端末６がマルチキャストグループへの参加を行う処理について説明する。図１０はこの発明の実施の形態の移動体通信システムにおける移動端末のマルチキャストグループ参加手順を説明するための図である。なお、この処理に先立って、無線基地局制御装置３は無線基地局４経由でマルチキャスト情報（マルチキャストサービスの一覧）を移動端末６に報知している（ステップ１２０）。なおこの処理は定期的、あるいは特定のイベントが発生した時（例えば移動端末６の起動時やハンドオーバー時など）に実行されるようになっている。
【００４３】
まず、移動端末６は、無線基地局４から通知されたマルチキャスト情報を元にマルチキャストグループへ参加する為にメンバーシップ登録要求を送信する（ステップ１２１）。
【００４４】
移動端末６がメンバーシップ登録要求を行うと、無線基地局制御装置３のマルチキャストルータ機能部３０４は登録要求に対する応答を行う（ステップ１２２）。この応答によって送信されるパケット中には、移動端末６が受信しようとしているマルチキャストグループのマルチキャスト接続ＩＤとマルチキャスト気付アドレスが含まれている。
【００４５】
移動端末６は、受信したマルチキャスト接続ＩＤをＩＥＥＥ８０２．１６送受信部６０２に設定するとともに、モバイルＩＰスタック６０３にマルチキャスト気付アドレスを設定する。このマルチキャスト気付アドレスはマルチキャストグループのパケットを受信するための専用気付アドレスであり、マルチキャストパケット以外のパケットを受信する通常の気付アドレスとは別に設定する。
【００４６】
このような構成を採用することにより、モバイルＩＰスタック６０３は通常の気付アドレスが受信するパケットに加えて、マルチキャスト気付アドレス宛に送信されるパケットも受信することが可能になる。
【００４７】
移動端末６からマルチキャストグループへのメンバーシップ登録があった場合、無線基地局制御装置３のマルチキャストルータ機能部３０４は無線基地局４に対して、受信したマルチキャストパケットのＧＲＥトンネルヘッダをマルチキャスト気付アドレスに変換し、例えばＷｉＭＡＸにて規定されるＤａｔａ  Ｐａｔｈ  Ｆｕｎｃ  Ｔｙｐｅ２によるデータ転送フォーマットで送信する。なお、モバイルＷｉＭＡＸでは今後新たなに他のフォーマットを規定することが見込まれているが、このような他のフォーマットで転送してもよいことはいうまでもない。
【００４８】
（マルチキャストパケットの送受信手順）
このようにして初期化され、マルチキャストグループに参加した後、移動端末６はマルチキャストサービスを受けることとなる。そこで、この移動体通信システムにおけるマルチキャストパケットの送受信フローについて、次に説明する。図１１は、この移動体通信システムにおける各送受信段階におけるパケットの変遷を説明する図である。また図１２は、この移動体通信システムにおけるマルチキャストパケットの送受信フローを説明する図である。
【００４９】
マルチキャストデータのフローに沿って説明する。まずマルチキャストサーバ１０とホームエージェント１の間は、マルチキャストＩＰアドレスとペイロードとからなる従来のマルチキャストデータとして配信される（ステップ１５０）。このマルチキャストデータはマルチキャストデータ識別部１０１によってマルチキャストデータとして分類され、以後マルチキャストルータ機能部１０４によって処理される。
【００５０】
ホームエージェント１のＧＲＥトンネリング機能部１０５は、マルチキャストＩＰパケットにＧＲＥヘッダを付加し、ＧＲＥヘッダが付加されたマルチキャストＩＰパケットを送出する（ステップ１５１）。これによってマルチキャストＩＰパケットはＧＲＥトンネルを通過することが可能となる。このＧＲＥヘッダ内にはマルチキャストパケット毎にシーケンス番号（SeqNo）が付けられている。このシーケンス番号は後述するハンドオーバー処理において無線基地局間同期に用いられるものである。
【００５１】
なお図１２に示すように、無線基地局制御装置３ａと３ｂのように複数の無線基地局制御装置がある場合はそれぞれに対してＧＲＥトンネルが維持されるが、その場合はそれぞれのＧＲＥトンネル（図の１５１ａ、１５１ｂ）を介した配信が行われる。
【００５２】
無線基地局制御装置３は、ＧＲＥトンネルからマルチキャストパケットを取り出す。そして取り出したマルチキャストパケットをマルチキャスト気付アドレスでカプセル化する（ステップ１５２）。これによって、マルチキャストパケットのヘッダ部分にマルチキャスト気付アドレスが付加される。また、無線基地局制御装置３が複数（３ａ、３ｂ）ある場合は、それぞれでマルチキャスト気付アドレスによるカプセル化がなされる。なお、その際にはホームエージェントによって付与されたシーケンス番号も受け継ぐ。
【００５３】
そしてこのデータを無線基地局制御装置−無線基地局間のＤａｔａ  Ｐａｔｈ  Ｆｕｎｃ  Ｔｙｐｅ２のフォーマットで送出する（ステップ１５３）。この時、ペイロード内には、ＧＲＥトンネルヘッダに含まれていたシーケンス番号が付与されている。無線基地局４が複数（４ａ、４ｂ）ある場合には、それぞれの無線基地局に対してＤａｔａ  Ｐａｔｈ  Ｆｕｎｃ  Ｔｙｐｅ２のフォーマットで送出されることになる（図１１のステップ１５３ａ、１５３ｂ）が、無線基地局制御装置３配下の無線基地局４に登録したメンバーが存在しない場合は無線基地局４へマルチキャストパケットを送信しない。
【００５４】
無線基地局４は、受信したパケットをそのマルチキャスト接続ＩＤを用いて、ＩＥＥＥ８０２．１６のマルチキャストパケットとしてマルチキャスト送信する（ステップ１５４）。
【００５５】
移動端末６は、ＩＥＥＥ８０２．１６の手順でパケットを受信し、マルチキャスト気付アドレス宛のＩＰパケットとしてモバイルＩＰスタック６０３で処理され、内部にカプセル化されたマルチキャストデータを取り出す（ステップ１５５）。
【００５６】
移動端末６内のＩＥＥＥ８０２．１６ｅ送受信部６０２が取り出したパケットはモバイルＩＰスタック６０３に入り、パケットのアドレスが指定されたマルチキャスト接続ＩＤであることを確認する。このマルチキャストコネクション識別子はトンネリングのために付与された識別子であるため、モバイルＩＰスタック６０３はマルチキャストパケットからマルチキャストコネクション識別子を削除して、上位レイヤの移動端末制御部６０４へ出力する。このようにして、移動端末６はマルチキャストデータを受信する。
【００５７】
（ハンドオーバー手順）
次に無線基地局制御装置間を移動するハンドオーバー処理について説明する。図１３はハンドオーバー処理を説明するための図である。図において、図６、図１０、図１２と同じ符号を付した処理はそれぞれ（移動端末初期化手順）、（マルチキャストグループへの参加の手順）、（マルチキャストパケットの送受信処理）で説明した処理と同様であることを示している。
【００５８】
無線基地局４ａ、無線基地局４ｂはいずれも時刻同期手段４０４を備えている。これによって無線基地局４ａ、無線基地局４ｂは互いに時刻同期がなされている。ＩＥＥＥ８０２．１６では、無線基地局間の同期を取るためにＧＰＳを使用することとなっており、時刻同期手段４０４はこの要件を満たすものでもある。
【００５９】
図１３に示すように、ホームエージェント１はマルチキャスト同期情報を無線基地局制御装置３経由で無線基地局４に報知する（ステップ４００）。ここで報知される情報は、ホームエージェントが送信するマルチキャストパケットの同期送信開始するシーケンス番号(SeqNo)とマルチキャストフローの送信間隔である。この情報はマルチキャストフロー毎に設定される。
【００６０】
ステップ１５０〜１５４によって、無線基地局制御装置３ａの配下にある無線基地局４ａのＦＩＦＯバッファ４０３に格納されたマルチキャストデータを古い順に受信している移動端末６が、無線基地局制御装置３ｂの配下にある無線基地局４ｂに収容される位置に移動したものとする。無線基地局制御装置３ｂには、無線基地局制御装置３ａと同様にサービス可能なマルチキャストグループのデータフローがＧＲＥトンネル経由で張られている。
【００６１】
ここで、移動端末６はまず初期化手順と同じように無線リンク確立／モバイルＩＰ位置登録を行う（ステップ１１０）。これに対して無線基地局４ｂからマルチキャスト情報が移動端末６に報知される（ステップ１２０）。
【００６２】
マルチキャスト情報を受信した移動端末６はメンバーシップ登録要求を行う（ステップ１２１）。これに対して無線基地局４ｂはメンバーシップ登録応答を行い（ステップ１２２）、マルチキャスト接続ＩＤ及びマルチキャスト気付アドレスを移動端末６に通知する。なお、このマルチキャスト接続ＩＤ及びマルチキャスト気付アドレスは、以前無線基地局４ａが報知したものと同じマルチキャスト接続ＩＤ及びマルチキャスト気付アドレスである。また、移動端末６も受信したマルチキャスト接続ＩＤ及びマルチキャスト気付アドレスを差し替えず、既に旧無線基地局制御装置から受信したマルチキャストコネクション識別子、マルチキャスト気付アドレスをそのまま引き継ぐ。
【００６３】
その後、無線基地局制御装置３ａと同様に、ホームエージェントからＧＲＥトンネル経由でマルチ制御装置３ｂにマルチキャストデータが配信され（ステップ１５１ｂ）、無線基地局制御装置３ｂでマルチキャスト気付アドレスによるカプセル化がなされた後（ステップ１５２ｂ）、Ｄａｔａ  Ｐａｔｈ  Ｆｕｎｃ  Ｔｙｐｅ２で無線基地局４ｂにマルチキャストデータが送信される（ステップ１５３ｂ）。さらに無線基地局４ｂは、ＦＩＦＯバッファ４０３に格納されたマルチキャストデータをマルチキャスト同期情報に含まれるマルチキャストフローの送信間隔から送信タイミングを決定し、この送信タイミングにおいて移動端末６にマルチキャストデータを送信する（ステップ１５４ｂ）。
【００６４】
このように、ハンドオーバー前後で移動端末６において同一のマルチキャスト接続ＩＤ及びマルチキャスト気付アドレスを用いることとしたので、ハンドオーバーが発生しても継続してマルチキャストパケットを受信することが可能となる。
【００６５】
また複数の無線基地局制御装置３をまたがるハンドオーバーを実行しても、無線基地局４ａと無線基地局４ｂはＧＰＳに同期しているため、同一タイミングでマルチキャストデータを送信される。したがって移動端末６は、ハンドオーバーが発生しても継続してマルチキャストパケットを受信することができる。
【００６６】
なお、ここまでの説明ではホームエージェント１と無線基地局制御装置３の間に専用トンネルを張り、マルチキャストデータを配信する構成としているが、このような構成の他にＩＰコアネットワーク８とインターネット１２を接続するゲートウェイ２にマルチリンクルータ機能と無線基地局制御装置３への専用トンネル制御機能をゲートウェイ２に配置するようにしてもよい。
【００６７】
また、無線基地局制御装置３への専用トンネルをＧＲＥトンネルとしたが他のトンネルフォーマットを使用してもよい。
【００６８】
さらに、ホームエージェント１と無線基地局制御装置３の間にマルチキャストトンネルルータを配置するようにしてもよい。こうすることで、送受信処理の負荷をホームエージェント１とマルチキャストトンネルルータ１５間とマルチキャストルータ１５と無線基地局制御装置３間とで分散させることとなって、無線基地局制御装置３が多数配置された場合でも、ホームエージェント１のトンネル処理負荷が高くなることを回避できる。
【図面の簡単な説明】
【００６９】
【図１】この発明の実施の形態の移動体通信システムの全体の構成を示すシステム構成図である。
【図２】この発明の実施の形態のホームエージェントの構成を示すブロック図である。
【図３】この発明の実施の形態の無線基地局制御装置の構成を示すブロック図である。
【図４】この発明の実施の形態の無線基地局の構成を示すブロック図である。
【図５】この発明の実施の形態の移動端末の構成を示すブロック図である。
【図６】この発明の実施の形態による移動体通信システムの初期接続時の説明図である。
【図７】この発明の実施の形態によるマルチキャストグループ情報の構造を示す説明図である。
【図８】この発明の実施の形態による無線基地局制御装置に記憶される管理テーブルの構成図である。
【図９】この発明の実施の形態による移動端末に記憶される管理テーブルの構成図である。
【図１０】この発明の実施の形態の移動体通信システムにおける移動端末のマルチキャストグループ参加手順の説明図である。
【図１１】この発明の実施の形態の移動体通信システムにおける各送受信段階におけるパケットの変遷の説明図である。
【図１２】この発明の実施の形態の移動体通信システムにおけるマルチキャストパケットの送受信フローの説明図である。
【図１３】この発明の実施の形態の移動体通信システムにおけるハンドオーバー処理の説明図である。
【符号の説明】
【００７０】
１  ホームエージェント、
２  ゲートウエイルータ、
３  無線基地局制御装置、
４  無線基地局、
６  移動端末、
８  ＩＰコアネットワーク、
１０  マルチキャストサーバ、
１２  インターネット網。
【図１】
2007228450.tif 000003
【図２】
2007228450.tif 000004
【図３】
2007228450.tif 000005
【図４】
2007228450.tif 000006
【図５】
2007228450.tif 000007
【図６】
2007228450.tif 000008
【図７】
2007228450.tif 000009
【図８】
2007228450.tif 000010
【図９】
2007228450.tif 000011
【図１０】
2007228450.tif 000012
【図１１】
2007228450.tif 000013
【図１２】
2007228450.tif 000014
【図１３】
2007228450.tif 000015